【事件の表示】
　特願２０１２−２６０３３７「写真シール作成装置、写真シール作成方法、およびプログラム」拒絶査定不服審判事件〔平成２５年　５月　９日出願公開、特開２０１３−　８３９９２〕について、次のとおり審決する。
【結　論】
　本件審判の請求は、成り立たない。
【理　由】
１　手続の経緯・本願発明
（１）手続の経緯
　本願は、平成２１年８月３１日に出願した特願２００９−１９９３５５号の一部を平成２４年１１月２８日に新たな特許出願としたものであって、平成２６年１月２２日及び同年４月１１日に手続補正がなされ、同年７月３１日付けで同年４月１１日付けの手続補正が却下されるとともに拒絶査定がなされ、これに対して、同年１１月５日に拒絶査定不服審判が請求されると同時に手続補正がなされ、当審において、平成２７年１０月２３日付けで拒絶の理由（以下「当審拒絶理由」という。）が通知され、同年１２月２１日に手続補正がなされたものである。
　なお、請求人は、当審拒絶理由に対して平成２７年１２月２１日に意見書を提出している。
　
（２）本願発明
　本願の請求項１ないし７に係る発明は、平成２７年１２月２１日になされた手続補正によって補正された特許請求の範囲の請求項１ないし７に記載の事項により特定されるものであるところ、そのうち請求項１に係る発明は、その特許請求の範囲の請求項１に記載されたとおりの次のものであると認める。
　
「利用者のライブビュー画像を取得するとともに、前記利用者を撮影して撮影画像を生成する撮影手段と、
　前記撮影手段により生成された前記撮影画像と前記ライブビュー画像とを組み合わせパターンに従って組み合わせた状態で利用者に提示する提示手段と、
　提示された、前記撮影画像と前記ライブビュー画像とを前記組み合わせパターンに従って組み合わせた前記状態に相当する、組み合わせた合成画像を生成する合成手段と、
　前記組み合わせた合成画像および複数の前記撮影画像を１枚の前記シール紙に印刷する場合、前記組み合わせた合成画像の１コマだけを、前記複数の撮像画像の何れよりも最も大きく、且つ、前記シール紙の略半分を占める印刷サイズで印刷する出力手段と
　を備える写真シール作成装置。」（以下、「本願発明」という。）
　
２　当審拒絶理由
　当審拒絶理由は概ね次のとおりである。
　
「本件出願の請求項１ないし７に係る発明は、その出願前に日本国内又は外国において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
 　　　　　　　　　　　　　　　　　　記
　引用例１．特開２００８−１２４８７７号公報
　引用例２．特開２００８−７８８１０号公報
　引用例３．特開２００７−１９４７３４号公報
　引用例４．特開２００８−１５８３８９号公報
　引用例５．特開２００５−２８６７３７号公報
　引用例６．特開２００７−７９４５０号公報
　引用例７．意匠登録第１３５７００６号公報
　引用例８．特開２００４−４８２７５号公報」
　
３　引用例の記載事項
（１）当審拒絶理由で引用例１として引用した本願出願前に頒布された刊行物である特開２００８−１２４８７７号公報（以下「引用例１」という。）には、次の事項が図とともに記載されている（下線は審決で付した。以下同じ。）。
　ア　「【課題を解決するための手段】
【００１０】
　（１）本発明は、
　
撮像部と表示部
撮像部によって撮影された被写体の画像を取り込み、編集してプリントする写真印刷装置であって、
　
撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、
　撮影期間の所与のタイミングにおける現在画像に基づき取り込み画像を生成して記憶部に記憶させる手段と
　
複数の取り込み画像に基づき、合成画像を生成する合成画像生成手段と、
　生成された合成画像に基づきプリント画像を生成する手段とを含み、
　前記撮影画面表示制御手段は、
　現在確認画像において、合成画像に反映される合成画像反映予定領域とそれ以外の領域とを異なる表示形態で表示するための制御を行うことを特徴とする。
【００１１】
　また本発明は、上記各手段としてコンピュータを機能させるプログラムに関係する。また本発明は、コンピュータ読み取り可能な情報記憶媒体であって、上記各手段としてコンピュータを機能させるプログラムを記憶（記録）した情報記憶媒体に関係する。また本発明は、上記各手段を実行するステップを含む写真印刷方法に関係する。
【００１２】
　
合成画像とは、１枚の画像の中に複数回の撮影により取り込まれた複数の取り込み画像の少なくとも一部が含まれた画像
【００１３】
　例えば現在確認画像において、対応する現在画像が取り込み画像となった場合の合成画像反映予定領域は通常表示し、それ以外の領域はマスクをかけるようにしてもよい（例えば非表示にしてもよいし、半透明表示にしてもよい）。合成画像反映予定領域はそれ以外の領域よりも視認性のよい表示形態にすることが好ましい。
【００１４】
　合成画像反映予定領域とは合成画像に使用される領域である。
【００１５】
　現在確認画像は、例えば現在画像を左右反転させて生成するようにしてもよい。このようにすると現在確認画像が正面にかがみがある場合と同じような画像となるので、（プレーヤの正面にカメラ及び表示部がある場合には、）このようにするほうがプレーヤの位置や方向感覚と合っていて、位置合わせが行いやすい。
【００１６】
　なお抜き取り色を背景として撮像部で撮影中の被写体の画像を現在画像として取り込んで、現在画像から背景部分を抜き取った現在抜き取り画像をリアルタイムに生成して、現在抜き取り画像に基づき、現在確認画像や現在取り込み画像を生成するようにしても良い。
【００１７】
　抜き取り色の抜き取り処理は、例えばクロマキー処理で実現してもよいし、マスク処理で実現してもよい。クロマキーとは画像の中からある特定色（抜き取り色）をもつ領域を抜き出し、そこに他の画像を埋め込む手法である。
【００１８】
　なお他の画像を埋め込む手法としては、特定色をもつ領域のα値（透明度を表す値とする）を１にして、他の画像と半透明合成（例えばαブレンディング処理）を行うことにより実現することが出来る。
【００１９】
　マスク処理とは画像の特定の領域（本発明の場合には抜き取り色の領域）の画素値をすべて１にして、他の部分をすべて０したマスク画像を作成し、このマスク画像の０の部分には画像Ａを、マスク画像の１の部分には画像Ｂを埋め込むことにより両画像を合成する手法である。
【００２０】
　ここで
取り込み画像とは静止画データを意味しており、シャッター（撮影ボタン）が押された時点に対応した画像（シャッターがおされた時点お現在画像）である
【００２１】
　本発明によれば、
撮影の間、動いている自分のライブビュー画像を見ながら位置合わせを行い、合成画像に用いる取り込み画像（静止画データ）を取得する
【００２２】
　なお今回の取り込み画像の合成画像反映予定領域に対応する部分のみが合成画像に反映される構成（例えば合成画像の複数の領域が枠で区切られ、枠内に各回の取り込み画像の合成画像反映予定領域を配置するような場合）でも良いし、各回の取り込み画像の配置領域について特に枠を設けず合成画像を生成するが、他の画像との位置あわせをするために合成画像反映予定領域とその他の領域の表示態様を異ならせる場合でもよい。
【００２３】
　なお本発明を構成する各手段はソフトウエアにより実現してもよいし、ハードウエアにより実現してもよいし、ソフトウエアとハードウエアの協働により実現してもよい。
【００２４】
　また本発明の写真印刷装置は、
取り込んで編集された画像を写真シールとして使用できるようにシールプリントする
　イ　「【００８６】
　２．枠撮り処理
　本実施の形態では
通常の撮影モードと
枠撮り撮影モードが用意され
　【００８７】
　図５（Ａ）〜（Ｃ）は本実施の形態において
枠撮り撮影モードを選択した場合
合成画像とは複数の撮影画像を組み合わせて１つの画像にした画像
　
　・・・略・・・
　
【００９８】
　
プレーヤはまず複数の枠撮り画像のパターンから所望の枠パターン
を選択する
選択した枠パターンのような合成画像を生成するための枠撮り撮影が行われる
【００９９】
　図７〜図９は
２枚の取り込み画像を合成して完成する枠撮り撮影を行う際
【０１００】
　図７は、本枠撮り撮影における
１回目の撮影時
【０１０１】
　３００は、
ディスプレイ
に表示される撮影画面
【０１０２】
　３５０は完成形サンプルポーズ画像であり、今回の枠撮り撮影の完成見本である。完成見本は、今回の枠撮り撮影の第１の取り込み画像の一部を第１の指定領域３４２に配置し、第２の取り込み画像の一部を第２の指定領域３４６に配置した合成画像が生成されることを示す。
【０１０３】
　３４０−１は、第１の取り込み画像撮影時に対応して用意された進行段階サンプルポーズ画像であり、３４２に示すように指定領域３４４の外縁（シンプル枠や飾り枠）を強調表示することにより今回の撮影の取り込み画像が配置される指定領域が３４４であることを示している。プレーヤは進行段階サンプルポーズ画像３４０−１により、今回の撮影が合成画像のどの指定領域に反映されるのかを確認することができる。
【０１０４】
　完成形サンプルポーズ画像と進行段階サンプルポーズ画像については図１１で詳しく説明する。
【０１０５】
　３６０はカウントダウン（シャッターが下りるまで秒数）である。カウントダウンは所定のタイミングにより自動的に開始されてもよいし、例えば図示しない撮影タイミングを指示するためのボタン（本ディスプレイはタッチパネルで構成されているため、プレーヤが画面上の当該ボタン）にふれることにより、撮影タイミングを指示することができるようにしてもよい。そしてプレーヤが画面上の当該ボタンにふれてからカウントダウンが開始され所定時間経過後に、撮影（シャッター）タイミングが到来し、その時点の画像が取り込まれて、１回めの撮影画像となるようにしてもよい。
【０１０６】
　３７０は枠撮りトータル枚数であり、枠撮りする枚数（選択した枠パターン）に応じて表示される。３７２−１は枠撮り現在枚数であり枠撮りした回数に応じて書き換えて表示される。
【０１０７】
　３１０−１は、撮像部で撮影中の被写体の画像（現在画像）を確認するための現在確認画像である。現在確認画像として、撮影中の被写体の画像（現在画像）をそのまま出力するようにしてもよいし、撮像部で撮影中の現在画像を左右反転させてた画像を出力するようにしてもよい。後者のようにすると現在確認画像がプレーヤの正面に鏡があると仮定した場合の鏡にうつる像と同じ画像となるので、プレーヤの位置合わせが行いやすくなる。
【０１０８】
　現在確認画像３１０−１には撮像部が現在撮影している画像またはそれを左右反転させた画像がリアルタイムの動画像（ライブビュー画像）として表示されている。
【０１０９】
　１回目の画像を撮影する際のライブビュー画像は、現在カメラ（図３の１０）が撮影している被写体画像と所与の背景色とをリアルタイムクロマキー処理で合成した画像である。
【０１１０】
　リアルタイムクロマキー処理では、現在カメラ（図３の１０）が撮影している画像から背景部分が抜き取られた（例えば背景部分の画素のα値として透明がセットされる）画像が生成され、背景部分に所与の背景色が合成される。
【０１１１】
　今回の撮影では、第１の領域３２０−１（合成画像の第１の指定領域に対応する領域）に表示されている画像が合成画像に反映され、第１の領域３２０−１以外の領域３３０−１は反映されない。
【０１１２】
　図７では第１の領域３２０−１以外の領域３３０−１には現在画像に対して半透明のマスクをかけて表示されている。このように本実施の形態では、合成画像反映予定領域（ここでは第１の領域３２０−１）以外の領域（ここでは第２の領域３３０−１）にマスクをかけることで、合成画像反映予定領域（ここでは第１の領域３２０−１）とそれ以外の領域（ここでは第２の領域３３０−１）とを異なる表示形態で表示する。
【０１１３】
　なお図７では合成画像反映予定領域以外の領域（ここでは第1の領域３２０−１）に半透明のマスクをかけて表示しているため、プレーヤは合成画像反映予定領域以外の領域３３０−１の画像も視認可能となっているが、合成画像反映予定領域以外の領域３３０−１に対して不透明のマスクをかけることにより、合成画像反映予定領域外の領域３３０−１についてはプレーヤが視認できないような表示形態にしてもよい。
【０１１４】
　合成画像反映予定領域（ここでは
第１の領域
は、ライブビュー画像となっている
カウントダウンが０となった状態の画像が取り込み画像となる
【０１１５】
　合成画像と合成画像反映予定領域との関係については図１０で詳しく説明する。
【０１１６】
　図８は１回目の撮影後（第１の取り込み画像撮影後）２回目の撮影開始前の撮影画面の様子を説明するための図である。
【０１１７】
　３７４は現在枠撮り枚数であり、現時点で今回の合成画像に対して取り込まれた取り込み画像数を示す。
【０１１８】
　第１の領域３２０−２は、１枚目の取り込み画像のプレビュー画像となっている。すなわち１回目の撮影期間のカウントダウン０時の現在画像が取り込まれて、当該取り込み画像の合成画像反映領域に対応する部分が表示されている。
【０１１９】
　撮影直後に第２の領域３２０−２プレビュー画面を表示する際には第２の領域３３０−２は、マスクをはずして表示してもよいし、不透明のマスク表示としてもよい。
【０１２０】
　図９は本枠撮り撮影における２回目の撮影時（第２の取り込み画像撮影時）の撮影画面の様子を説明するための図である。
【０１２１】
　３５０は完成形サンプルポーズ画像であり、図７の１回目撮影時と同様の画像が表示されている。
【０１２２】
　３４０−３は、第２の取り込み画像撮影時に対応して用意された進行段階サンプルポーズ画像であり、３４８に示すように指定領域３４６の外縁を強調表示することにより今回の撮影の取り込み画像が配置される指定領域が３４６であることを示している。
【０１２３】
　３６０はカウントダウン（シャッターが下りるまで秒数）、３７０は枠撮りトータル枚数である。３７２−２は枠撮り現在枚数であり、今回は２回目の枠撮り撮影なので、図７の画面からインクリメント（更新）されている。
【０１２４】
　
２回目の撮影では、
第１の領域
には１回目の撮影で取り込んだ取り込み画像の対応部分がプレビュー表示されている
【０１２５】
　このように本実施の形態では、第ｎ回めの撮影時の現在確認画像３１０−３において、合成画像の第ｍ（ｍ＜ｎ）の指定領域に対応する第ｍの領域３２０−３に、第ｍの取り込み画像の合成画像反映予定領域を表示（プレビュー画像）する制御を行うようにしてもよい。
【０１２６】
　また現在確認画像３１０−３の
第２の領域
は、
撮像部が現在撮影している画像
が
ライブビュー画像
として表示されている
【０１２７】
　このようにすることで、過去の画像に合わせて今回の位置合わせやポーズをとることができるので、複数の取り込み画像からなる合成画像のできあがりを順次確認しながら各回の撮影を行うことができる。従ってできあがり後にプレーヤの予想を裏切るようようなことがない満足度の高い合成画像を生成することができる。」
　ウ　「【図９】
」
　エ　２枚の取り込み画像を合成して完成する枠撮り撮影を行う場合における、２回目の撮影時の撮影画面の様子を示す図９の記載からみて、
第１の領域
表示部
の一部の領域であり
第２の領域
は前記第１の領域を内部に位置させる領域である
取り込み画像のプレビュー画像とライブビュー表示とが、選択された枠パターンに従って組み合わせた状態で表示されている
　オ　上記アないしエから、引用例１には次の発明が記載されているものと認められる。
「撮像部と、表示部と、撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、撮影期間の所与のタイミングにおける現在画像に基づき取り込み画像を生成して記憶部に記憶させる手段と、複数の取り込み画像に基づき、合成画像を生成する合成画像生成手段と、生成された合成画像に基づきプリント画像を生成する手段とを含み、撮像部によって撮影された被写体の画像を取り込み、取り込んで編集された画像を写真シールとして使用できるようにシールプリントする写真印刷装置であって、
　通常の撮影モードと枠撮り撮影モードが用意され、
　枠撮り撮影モードは、被写体であるプレーヤが複数の枠撮り画像のパターンから所望の枠パターンを選択し、選択した枠パターンのような合成画像を生成するための枠撮り撮影が行われるものであり、
　２回撮影を行って２枚の取り込み画像を合成して完成する枠撮り撮影が行われる場合に、
　２回目の撮影において、表示部の一部の領域である第１の領域には１回目の撮影で取り込んだ取り込み画像の前記第１の領域に対応部分がプレビュー表示されており、前記第１の領域を内部に位置させる第２の領域には、撮像部が現在撮影している画像がライブビュー画像として表示され、すなわち、取り込み画像のプレビュー表示とライブビュー画像とが、選択された枠パターンに従って組み合わせた状態で表示され、合成画像に用いる取り込み画像が取得される、
　写真印刷装置。」（以下「引用発明」という。）
　
４　周知の事項
（１）特開２００８−７８８１０号公報の記載
　本願の出願前に頒布され、当審拒絶理由で引用例２として引用された刊行物である特開２００８−７８８１０号公報（以下「周知例１」という。）には次の記載がある。
　ア　「【技術分野】
【０００１】
　本発明は、
写真シール作成装置および方法
　イ「【０１１８】
　これに対して、
組み合わせプリは、撮影画像や編集済み画像よりなる複数の組み合わせ画像を、所定の領域内に、任意の位置、大きさ、角度、および重ね順で配置し（すなわち、任意のレイアウトで配置し）、合成した（組み合わせた）合成画像
図１０Ｂに示されるように、組み合わせプリ２０２の画像領域内には、撮影画像２１１乃至撮影画像２１３が配置される
組み合わせプリは、複数の組み合わせ画像を組み合わせて生成され、その画像領域内に複数の組み合わせ画像を有する１枚の画像であり、他の撮影画像と同様に、１枚の編集対象画像として利用される画像である
　ウ　「【０１３０】
　図１１において四角枠で示されるように、
写真シール２２０（シール紙）の画像が印刷される範囲（印刷領域）は、複数の分割領域（印刷領域の部分領域）に分割され、各分割領域に、１枚ずつ編集済み画像（落書き編集が行われなかった撮影画像も含む）が印刷される
組み合わせプリは、撮影画像や編集済み画像と同様に、１つの分割領域に１枚ずつ印刷される
　エ　「【図１０】
」
　オ　「【図１１】
」
　
（２）特開２００７−１９４７３４号公報の記載
　本願の出願前に頒布され、当審拒絶理由で引用例３として引用された刊行物である特開２００７−１９４７３４号公報（以下「周知例２」という。）には次の記載がある。
　ア　「【技術分野】
【０００１】
　本発明は、
写真シール提供システム
　イ　「【０２２５】
　
図２７は、写真シールの印刷の例を示す図である
【０２２６】
　上述したように、写真シールのシール紙３３１には、編集済み画像と、撮影ID、パスワード、および、アクセス先アドレス等の関連情報が印刷される。図２７の例の場合、シール紙３３１には、画像３４１乃至画像３５８と、関連情報３６１が印刷されている。
【０２２７】
　画像３４１と画像３５１は、同じ編集済み画像に対応する。画像３４２と画像３５２は、同じ編集済み画像に対応する。画像３４３、画像３４８、画像３５３、および画像３５８は、同じ編集済み画像に対応する。画像３４４と画像３５４は、同じ編集済み画像に対応する。画像３４５と画像３５５は、同じ編集済み画像に対応する。画像３４６と画像３５６は、同じ編集済み画像に対応する。画像３４７と画像３５７は、同じ編集済み画像に対応する。このように、同じ編集画像がシール紙に複数印刷されることもある。
【０２２８】
　また、
画像３４１と画像３４２は、１回の連結撮影により得られた１組の連結用撮影画像を編集した画像（１つのつなぎプリを構成する画像）である（２枚連結）。画像３４９は、これらの連結用撮影画像をつなぎ合わせたつなぎプリの画像である
【０２２９】
　
画像３４５、画像３４６、および画像３４７は、１回の連結撮影により得られた１組の連結用撮影画像を編集した画像（１つのつなぎプリを構成する画像）である（３枚連結）。画像３５０は、これらの連結用撮影画像をつなぎ合わせたつなぎプリの画像である
【０２３０】
　連結用撮影画像（を編集した画像）を印刷領域に割り当てる場合、印刷処理部９５は、複数の連結用撮影画像を、図２７の画像３４１と画像３４２、または、画像３４５乃至画像３４７の例のように、連結パターンの設定どおりに配置し、印刷させるようにしてもよいし、図２７の画像３５５乃至画像３５７の例のように、連結パターンの設定と独立した方法で配置し、印刷させるようにしてもよいし、
図２７の画像３４９や画像３５０の例のように、１枚のつなぎプリとして印刷させるようにしてもよい
【０２３１】
　
画像３４３と画像３４４は、通常撮影により得られた互いに独立した画像である
【０２３２】
　なお、図２７においては、各画像間に余白を設けているが、余白を設けずに画像間を詰めて印刷するようにしてももちろんよい。
【０２３３】
　以上のように、つなぎプリは、写真シール３３１に印刷されて利用者に提供される。このつなぎプリは、複数回の撮影により作成される特殊な画像であり、通常撮影の画像と画像サイズ（縦横比）が異なるだけでなく、その作成方法も異なるので、利用者にとって、通常撮影により得られた画像には無い顕著な娯楽性を有する。つまり、このつなぎプリを作成する機能を設けることにより写真シール作成ゲームの娯楽性が向上する。」
　ウ　「【図２７】
」
（３）特開２００８−１５８３８９号公報の記載
　本願の出願前に頒布され、当審拒絶理由で引用例４として引用された刊行物である特開２００８−１５８３８９号公報（以下「周知例３」という。）には次の記載がある。
　ア　「【技術分野】
【０００１】
　この発明は、例えば被写体を撮影して撮影画像を取得し、この撮影画像に編集許容して編集画像を取得し、この編集画像を用紙に印刷するような
写真シート作成方法およびその装置
　イ　「【０１２５】
　以上の構成および動作により、余白が少なく利用者の顔が大きく写っている全身撮影画像を提供することができる。　
　つまり、
図１８（Ａ）の従来例の写真シールシートの説明図に示すように、従来はアップ編集画像と全身編集画像の大きさが同一であったため、全身編集画像の利用者の顔は非常に小さく写ることになっていた
【０１２６】
　しかし、
図１８（Ｂ）の本願の写真シールシート１４０の説明図に示すように、アップ編集画像１１１ａを縦に２つ並べた倍サイズで全身編集画像１１１ｂを印刷することにより、利用者の顔Ｆ１，Ｆ２が大きく写り、利用者の満足度を向上させることができる
【０１２７】
　しかも、全身編集画像１１１ｂは左右両端がカットされているため、利用者が写っていない部分を極力少なくでき、シール紙の紙面を有効に活用することができる。
【０１２８】
　また、
全身撮影画像および全身編集画像１１１ｂを縦長にしていることで、従来であればアップ撮影画像と同程度の顔サイズとなるように全身撮影画像を表示しようとすると４倍程度の大きさ（＝４コマ分の印刷領域）が必要であったところを、２倍程度の大きさ（＝２コマ分の印刷領域）で済ませることができる
【０１２９】
　またこれにより、同一の画像を複数枚印刷する、あるいは複数のアップ画像や全身画像を多種多様に印刷することができる。このため、写真シールを複数人で分ける場合、１人当たりの印刷画像枚数が多くなり、各利用者の満足度を向上させることができる。
【０１３０】
　また、全身撮影画像および全身編集画像１１１ｂを、アップ撮影画像およびアップ編集画像１１１ａに対して全身長辺方向に整数倍の大きさとしている。これにより、レイアウトパターンの作成を容易化することができる。
【０１３１】
　また、全身撮影の際には、全身撮影画像を全体表示すると共に顔周辺を拡大した拡大画像も表示するため、利用者は全体のポーズと顔の表情の写りとを両方確認することができる。したがって、撮影画像に対する利用者の満足度を向上させることができる。
【０１３２】
　また、全身撮影画像を編集する際には、全身撮影画像およびこれに編集を加えた全身編集画像１１１ｂを全体表示と拡大表示とに切り替えることができる。このため、アップ撮影画像およびアップ編集画像１１１ａと同じレベルで細部まで詳細に確認できると共に、全体構成も確認でき、利用者の満足度を向上させることができる。
【０１３３】
　また、全身編集画像１１１ｂの編集で編集アイテム画像１１３を書き込む際には、全身編集画像１１１ｂの表示サイズに対応して編集アイテム画像１１３の大きさを変更して書き込み許容することができる。このため、利用者は全身編集画像１１１ｂの表示サイズの違いを気にすることなく、適切に編集を行うことができる。
【０１３４】
　また、写真シールシート１４０には、アップ編集画像１１１ａと全身編集画像１１１ｂが混合して配置されているため、利用者はアップと全身の両方を楽しむことができる。特に全身編集画像１１１ｂはアップ編集画像１１１ａの長辺方向に整数倍（この実施例では２倍）の比率としたため、アップ編集画像１１１ａと全身編集画像１１１ｂを混合させても隙間なく密集配置することができ、シール紙の紙面を限有効活用することができる。」
　ウ　「【図１８】
」
（４）特開２００５−２８６７３７号公報の記載
　本願の出願前に頒布され、当審拒絶理由で引用例５として引用された刊行物である特開２００５−２８６７３７号公報（以下「周知例４」という。）には次の記載がある。
　ア　「【技術分野】
【０００１】
　本発明は、人物等の被写体の画像（被写体画像）と、落書き画像（落書き線描画像）や各種スタンプ画像などといった編集用画像との合成画像を、シール紙に印刷して出力する
写真シール印刷装置
　イ　「【００４４】
　
レイアウト選択操作用画像５０１ａ，５０１ｂには、メモリ９２に記憶させておいた撮影画像（被写体画像）に落書きなどの編集画像を合成した結果画像であるサムネイル画像５４、レイアウト見本５５、選択されたレイアウト５８などが表示される
落書きなどの編集を行わなかった被写体画像が存在する場合、その被写体画像も含めて表示することが可能である
【００４５】
　表示されるレイアウト見本５５としては、パターンメモリ９６に記録されている印刷レイアウトの見本のうち、被写体（利用者）２４の人数に応じてそれぞれグループ化されたレイアウト見本群から、該当する人数に対応するグループから選択されたレイアウト見本５５のいくつかが表示される（図７では、左右のレイアウト見本５５を異ならせて描いてあるが、左右に同一のレイアウト見本５５を表示させてもよいことは、言うまでもない）。なお、表示されるレイアウト見本５５を選択する方法としては、無作為に選択する方法や使用頻度が高いものを選択する方法など、さまざまな方法が採用可能である。
【００４６】
　図７で左右のレイアウト選択操作用画像５０１ａ，５０１ｂ中のそれぞれのレイアウト見本５５およびレイアウト５８には、印刷シールを２分割したうちの一方のレイアウト見本およびレイアウトがそれぞれ表示されるので、
各利用者はそれぞれタッチペン６ａ，６ｂを使用して気に入ったレイアウトおよび印刷画像を選択することができる
【００４７】
　
レイアウト見本５５上の画像５５１には、サムネイル画像５４に表示される画像のうちのいずれかを表示してもよいし、画像を表示せず枠だけを表示してもよい
【００４８】
　また、利用者によるレイアウトの選択を容易にするために、見本分類ボタン５６を表示してもよい。図７では、「日記」、「カード」、「シール」の３つの見本分類ボタンを表示している。例えば利用者が「日記」を選択すると、パターンメモリ９６に記録されている印刷レイアウトの見本のうち、日記風にデザインされた画像を表示しうるレイアウトが選択的に表示される。
【００４９】
　なお、
図７に示した例では、印刷シールを左右に２分割する例を示しているが、上下に分割してもよいし、例えば対向した略Ｌ字型に分割する等、任意の形に分割することができる。また、２つの分割サイズが同一である必要もなく、例えば一方を他方の略２倍のサイズとなるように２分割してもよい
【００５０】
　利用者は、見本分類ボタン５６のいずれかを選択して、シールの使用目的に合致したレイアウトをレイアウト見本５５に表示し、レイアウト見本５５の中に自分の好みのレイアウトがあれば、これをタッチペン６ａ，６ｂ等を使用して選択する。好みのレイアウトが表示されていない場合は、見本切り替えボタン５７により次々と異なる見本を表示し、その中から自分の好みのレイアウトを選択する。
【００５１】
　見本分類ボタン５６として、印刷シールの使用目的に従って分類したボタンでなく、それ以外の任意の基準に従って分類したボタンを表示することができる。例えば、見本分類ボタン５６として「１分割」、「２分割」、「３分割」、「多数」の４種類のボタンを表示すれば、利用者が３人である場合、レイアウト選択画面５０１ａ，５０１ｂの両方で「３分割」を選択することで、簡単に３つに切り分けることが可能な印刷シールを得ることができる。」
　ウ　「【図７】
」
（５）特開２００７−７９４５０号公報の記載
　本願の出願前に頒布され、当審拒絶理由で引用例６として引用された刊行物である特開２００７−７９４５０号公報（以下「周知例５」という。）には次の記載がある。
　ア　「【技術分野】
【０００１】
　本発明は、
写真シール作成装置および方法
　イ　「【０２２６】
　
領域３０１Ａには、利用者により選択された分割レイアウトで、編集済みの画像が印刷される
領域３０１Ｂには、例えば、４つの同じ大きさの画像が並べて印刷される
　【０２２７】
　
図２４は、領域３０１Ａの全体に１つの画像を印刷するレイアウトを示す図であり
　ウ　「【図２４】
」
（６）意匠登録第１３５７００６号公報の記載
　本願の出願前に頒布され、当審拒絶理由で引用例７として引用された刊行物である意匠登録第１３５７００６号公報（以下「周知例６」という。）には次の記載がある。
　ア　「【意匠に係る物品の説明】　本物品は、
画像情報により成形される複数の画像が、一枚の用紙に印刷処理された後の写真プリント用紙
　イ　「【正面図】
」
　ウ　「【使用状態を示す参考図】
」
　
（７）上記（１）ないし（６）から、　
　「写真シール作成装置において、印刷媒体であるシール紙のサイズの異なる複数の枠内に画像をそれぞれ印刷すること」は、本願の出願前に周知（以下「周知技術１」という。）であると認められる。
　
（８）上記（３）、（５）及び（６）から、
　「写真シール作成装置において、シール紙のレイアウトとして、１つの枠のみを他の枠よりも大きくして、それぞれの枠の大きさに対応するように画像の１コマだけを他の画像のいずれよりも大きなサイズで印刷すること」は、本願の出願前に周知（以下「周知技術２」という。）であると認められる。
　
（９）上記（１）ないし（４）から、
　「写真シール作成装置において、シール紙にサイズの異なる枠内に印刷する画像として、編集済みの画像又は編集していない撮影画像のいずれかを選択し、双方の画像を１枚のシール紙の前記各枠内に配置可能とすること」は、本願の出願前に周知（以下「周知技術３」という。）であると認められる。
　
５　対比
　本願発明と引用発明とを対比する。
（１）引用発明の「プレーヤ」、「ライブビュー画像」、「写真シール」及び「シールプリント」は、それぞれ本願発明の「利用者」、「ライブビュー画像」、「シール紙」及び「印刷」に相当する。
　
（２）引用発明の「取り込み画像」は、引用例１の【００２０】（上記３（１）ア）に記載されているように、静止画データを意味しており、シャッター、すなわち撮影ボタンが押された時点に対応した画像であるから、本願発明の「撮影画像」に相当する。
　
（３）引用発明の「枠パターン」は、「取り込み画像」（撮影画像：以下、引用発明の構成に続く括弧書き内は、対応する本願発明の構成である。）のプレビュー表示と「ライブビュー画像」（ライブビュー画像）とを組み合わせた状態で表示されているパターンであるから、本願発明の「組み合わせパターン」に相当する。
　
（４）引用発明の「合成画像」は、選択した「枠パターン」（組み合わせパターン）に「取り込み画像」（撮影画像）のプレビュー表示と「ライブビュー画像」（ライブビュー画像）とを組み合わせた状態で表示され、該「ライブビュー画像」が「取り込み画像」とされて、生成されるものであるから、本願発明の「組み合わせた合成画像」に相当する。
　
（５）引用発明の「写真印刷装置」は、取り込んで編集された画像、すなわち「合成画像」を「写真シール」（シール紙）として使用できるように「シールプリント」（印刷）するから、本願発明の「写真シール作成装置」に相当する。
　
（６）引用発明は、「撮像部」と「撮像部で撮影中の被写体の画像を現在画像として取り込んで、現在画像に基づき撮影中の現在画像を確認するための現在確認画像を生成」する「撮影画面表示制御手段」を有しており、表示部にライブビュー画像が表示されるのだから、本願発明の「利用者のライブビュー画像を取得するとともに、前記利用者を撮影して撮影画像を生成する撮影手段」を備えている。また、引用発明は、２回目の撮影において、１回目の撮影で取り込んだ「取り込み画像」（撮影画像）のプレビュー表示と「ライブビュー画像」（ライブビュー画像）とが、選択された「枠パターン」（組み合わせパターン）に従って組み合わせた状態で表示されるから、引用発明は、本願発明の「前記撮影手段により生成された前記撮影画像と前記ライブビュー画像とを組み合わせパターンに従って組み合わせた状態で利用者に提示する提示手段」を備えている。
　
（７）引用発明は、「取り込み画像」（撮影画像）のプレビュー表示と「ライブビュー画像」（ライブビュー画像）とが、選択された「枠パターン」（組み合わせパターン）に従って組み合わせた状態で表示され、「取り込み画像」（撮影画像）を取得し、「合成画像」（組み合わせた合成画像）を生成するものであるから、引用発明は、本願発明の「提示された、前記撮影画像と前記ライブビュー画像とを前記組み合わせパターンに従って組み合わせた前記状態に相当する、組み合わせた合成画像を生成する合成手段」を備えている。
　
（８）引用発明は、上記（５）のように、取り込んで編集された画像を「写真シール」（シール紙）に「シールプリント」（印刷）するものであるから、「２枚の取り込み画像を合成して完成する枠撮り撮影」後に行われるシールプリントでは「合成画像」（組み合わせた合成画像）がシールプリントされる。したがって、引用発明の「写真印刷装置」（写真シール作成装置）と、本願発明の「写真シール作成装置」とは、「組み合わせた合成画像をシール紙に印刷する出力手段」を備える点で一致する。
　
（９）上記（１）ないし（８）からみて、本願発明と引用発明とは、
「利用者のライブビュー画像を取得するとともに、前記利用者を撮影して撮影画像を生成する撮影手段と、
　前記撮影手段により生成された前記撮影画像と前記ライブビュー画像とを組み合わせパターンに従って組み合わせた状態で利用者に提示する提示手段と、
　提示された、前記撮影画像と前記ライブビュー画像とを前記組み合わせパターンに従って組み合わせた前記状態に相当する、組み合わせた合成画像を生成する合成手段と、
　組み合わせた合成画像をシール紙に印刷する出力手段と、
　を備える写真シール作成装置。」の点で一致し、次の点で相違する。
　
　・相違点
　本願発明では、組み合わせた合成画像および複数の撮影画像を１枚のシール紙に印刷する場合、前記組み合わせた合成画像の１コマだけを、前記複数の撮像画像の何れよりも最も大きく、且つ、前記シール紙の略半分を占める印刷サイズで印刷する出力手段を備えるのに対し、
　引用発明では、合成画像（組み合わせた合成画像）をシール紙に印刷する出力手段を備えているが、該出力手段が具体的に如何に印刷しているかは不明である点。
　
６　判断
（１）上記相違点について検討する。
　ア　上記４（７）及び（８）のとおり、写真シール作成装置において、印刷媒体であるシール紙のサイズの異なる複数の枠内に画像をそれぞれ印刷することは周知（周知技術１）であり、特に、シール紙のレイアウトとして、１つの枠のみを他の枠よりも大きくして、それぞれの枠の大きさに対応するように画像の１コマだけを他の画像のいずれよりも大きなサイズで印刷することも周知（周知技術２）である。
　イ　上記４（９）のとおり、写真シール作成装置において、シール紙にサイズの異なる枠内に印刷する画像として、編集済みの画像又は編集していない撮影画像のいずれかを選択し、双方の画像を１枚のシール紙の前記各枠内に配置可能とすることは周知（周知技術３）である。
　ウ　引用発明は、合成画像（組み合わせた合成画像）に基づきプリント画像を生成し、該画像をシール紙に印刷するものであるところ、上記ア及びイからみて、引用発明において、シール紙として、サイズの異なる複数の枠、特に１つの枠のみを他の枠よりも大きくしたシール紙を用い、前記各枠に「編集済みの画像である」合成画像及び「編集していない画像である」取り込み画像（撮影画像）をそれぞれ印刷可能となし、前記枠のサイズに合わせ、合成画像だけを取り込み画像の中で一番大きなサイズで印刷するようになすことは、当業者が周知技術１ないし３に基づいて考慮し得たことである。
　エ　そして、周知技術２のような、１つの枠のみを他の枠よりも大きくしたシール紙のレイアウトにおいて、前記１つの枠の大きさを前記シール紙の略半分占めるようになすこと又は前記シール紙の略半分以上占めるようになすことは、当業者が適宜なし得た設計的事項にすぎず（例えば、周知例３、５及び６（上記４（３）、（５）及び（６））に記載されている事項でもある。）、それぞれの枠の大きさに対応するように画像の１コマだけを前記シール紙の略半分を占めるようになすことも当業者が適宜なし得たことである。
　オ　上記アないしエからみて、引用発明において、上記相違点に係る本願発明の構成となすことは当業者が周知技術１ないし３に基づいて適宜なし得たことである。
　
（２）本願発明の奏する効果は、引用発明の奏する効果及び周知技術１ないし３の奏する効果から当業者が予測することができた程度のことである。
　
（３）したがって、本願発明は、当業者が引用例に記載された発明及び周知技術１ないし３に基づいて容易に発明をすることができたものである。
　
７　むすび
　本願発明は、当業者が引用例に記載された発明及び周知技術１ないし３に基づいて容易に発明をすることができたものであるから、特許法第２９条第２項の規定により特許を受けることができない。
　よって、結論のとおり審決する。